(57)【要約】【課題】  簡単な構成により、開口部に対するディスクトレイの位置のズレを減少させることができる光ディスク再生装置を提供する。【解決手段】  前後に貫通する開口部を備え裏面に後方に開口する雌ネジ部を備える前面パネルと、Ｌ字型を成し長孔を備え雄ネジが長孔を介して前面パネルの雌ネジ部に締結されることによって前面パネルに固定されるＬ字金具と、前面パネルに固定され後方部分に上方に開口した雌ネジ部を備えるシャーシ部と、前面に開口部を介して前後にスライドするディスクトレイを備え光ディスクに記録されたデータを再生する再生部と、再生部を固着し後方部分に上下に貫通する孔を備え雄ネジが当該孔を介してシャーシ部の雌ネジ部に締結されることによってシャーシ部に固定されるブラケットとを備え、Ｌ字金具は、上方に折り曲げられた折り曲げ部を備え、ブラケットは、前端部分に折り曲げ部と嵌合する切欠き部を備える。【選択図】      図２
2008108351.tif 000002
【特許請求の範囲】
【請求項１】
光ディスクに記録されているデータを再生する光ディスク再生装置において、前後に貫通する開口部を備え裏面に後方に開口する雌ネジ部を備える前面パネルと、下方部分が後方に突出したＬ字型を成し前後に貫通し長手方向が上下方向である長孔を備え雄ネジが当該長孔を介して前記前面パネルの雌ネジ部に締結されることによって前記前面パネルに固定されるＬ字金具と、前方部分が前記前面パネルに固定され後方部分に上方に開口した雌ネジ部を備えるシャーシ部と、前記前面パネルの後方に配設され前面に前記開口部を介して前後にスライドするディスクトレイを備え当該ディスクトレイによって搬送された当該光ディスクに記録されたデータを再生する再生部と、上面に前記再生部を固着し後方部分に上下に貫通する孔を備え雄ネジが当該孔を介して前記シャーシ部の雌ネジ部に締結されることによって前記シャーシ部に固定されるブラケットとを備え、
前記Ｌ字金具は、上方に折り曲げられた折り曲げ部を備え、
前記ブラケットは、前端部分に前記折り曲げ部と嵌合する切欠き部を備えることを特徴とする光ディスク再生装置。
【発明の詳細な説明】
【技術分野】
【０００１】
本発明は、光ディスクに記録されているデータを再生する光ディスク再生装置に関する。
【背景技術】
【０００２】
従来の光ディスク再生装置として、前面パネルにディスクトレイを備え、光ディスクを載置したディスクトレイを筐体の外部から筐体の内部へ搬送し、搬送した光ディスクに記録されているデータを再生するものが知られている（例えば、特許文献１参照。）。
【０００３】
図４は、従来の光ディスク再生装置の概略構成を示す斜視図である。
光ディスク再生装置１００は、再生部３、上面カバー９、後面パネル１０、前面パネル２００及びシャーシ部４００を備える。前面パネル２００は、前後に開口する開口部２０１を備える。上面カバー９及び後面パネル１０は、図示しないネジによってそれぞれシャーシ部４００に固定される。
【０００４】
再生部３は、前面にディスクトレイ３０１を備え、このディスクトレイ３０１の上面には凹部３０２を備える。ディスクトレイ３０１の上下方向の高さ及び左右方向の幅は開口部２０１の上下方向の高さ及び左右方向の幅より小さい。
【０００５】
図５は、光ディスク再生装置１００の構成を示す後方斜視図である。
図５においては、矢印Ａ方向を光ディスク再生装置１００の前方とする。
前面パネル２００は、上方部分及び下方部分にそれぞれ後方に突出した凸部２０２及び凸部２０３を備え、凸部２０３の左右部分にはそれぞれ上方に開口した雌ネジ部２０４を備える。
【０００６】
シャーシ部４００は、右端部分及び左端部分がそれぞれ上方に折り曲げられたコの字型を形成し前方部分に上下に貫通する孔４０１を備える。シャーシ部４００は、前方部分及び後方部分の左右部分の上面にそれぞれボス４１１を備える。ボス４１１は、上方に開口する雌ネジ部４１２を備える。
【０００７】
再生部３は、下面にブラケット５００が接着剤等により固着されている。ブラケット５００は、前方部分及び後方部分の左右部分にそれぞれ外側に突出する曲げ部５１１を備え、曲げ部５１１にはそれぞれ上下に貫通する孔５１２を備える。
【０００８】
前面パネル２００は、雄ネジ７をシャーシ部４００の孔４０１に挿入し、この雄ネジ７を雌ネジ部２０４に締結することによって、シャーシ部４００に固定される。再生部３を固着したブラケット５００は、雄ネジ７を孔５１２に挿入し、この雄ネジ７をボス４１１の雌ネジ部４１２に締結することによってシャーシ部４００に固定される。再生部３は、ディスクトレイ３０１の位置が開口部２０１の後方の位置となるよう配設される。
【０００９】
再生部３は、図示しないトレイ駆動部及び制御部を備える。制御部は、光ディスク再生装置１００の図示しない操作部から出力された信号に基づいて、再生部３の制御及びトレイ駆動部の制御等を行う。トレイ駆動部は、制御部の制御により、ディスクトレイ３０１を開口部２０１の前方に突出する位置から前面パネル２００の後方となる位置までの間を前後にスライドさせる。
【００１０】
ディスクトレイ３０１は、トレイ駆動部によって、凹部３０２に載置した光ディスク８を開口部２０１を介して前面パネル２００の後方、即ち、装置内部に搬送する。また、ディスクトレイ３０１は、トレイ駆動部によって、凹部３０２に載置した光ディスク８を装置内部から開口部２０１を介して前面パネル２００の前方に搬送する。
【００１１】
再生部３は、図示しないターンテーブル、クランパ、スピンドルモータ及び光ピックアップを備える。再生部３は、制御部の制御により、ディスクトレイ３０１によって内部に搬送された光ディスク８をターンテーブルとクランパにより狭持し、スピンドルモータを回転させて光ディスク８を回転させる。
【００１２】
光ピックアップは、スピンドルモータにより回転させた光ディスク８に記録されているデータを読み取る。
【００１３】
以上の構成により、光ディスク再生装置１００は、ディスクトレイ３０１が前面パネル２００の開口部２０１を介して前後にスライドすることによって、光ディスク８を装置の外部から内部へ搬送し、搬送した光ディスク８に記録されているデータを再生する。
【００１４】
【特許文献１】特開平６−２５１４８１号公報
【発明の開示】
【発明が解決しようとする課題】
【００１５】
図６（ａ）及び（ｂ）は、従来の光ディスク再生装置１００の前面パネル２００、シャーシ部４００、ブラケット５００の組み付けを示す正面図である。
【００１６】
図４及び図５に示すように、従来の光ディスク再生装置１００は、前面パネル２００の開口部２０１を介してディスクトレイ３０１を前後にスライドさせる必要があるため、ディスクトレイ３０１の上下方向の高さ及び左右方向の幅が開口部２０１の上下方向の高さ及び左右方向の幅より小さく形成され、ディスクトレイ３０１の上下面及び左右側面と開口部２０１の内壁にそれぞれ隙間ができるように設計されている。
【００１７】
しかしながら、シャーシ部４００を製造する過程において、加工寸法の誤差や温度変化による部材の伸縮によって、孔４０１を加工する位置に誤差が生じることがある。また、図５に示すように、前面パネル２００をシャーシ部４００に固定する場合は、雄ネジ７をシャーシ部４００の孔４０１に挿入して、前面パネル２００の雌ネジ部２０４に締結させるため、雄ネジ７の外径は孔４０１の内径よりも小さくしておく必要があり、この雄ネジ７の外周と孔４０１の内壁との隙間によって前面パネル２００を固定する位置に誤差が生じることがある。
【００１８】
従来の光ディスク再生装置１００は、図５に示すように、再生部３を固着したブラケット５００が雄ネジ７によってシャーシ部４００に固定され、また、前面パネル２００が雄ネジ７によってシャーシ部４００に固定されていることから、シャーシ部４００の製造過程における孔４０１の水平方向の加工位置の誤差及び雄ネジ７によって前面パネル２００をシャーシ部４００に固定する際に生じる水平方向の固定位置の誤差の累積により、図６（ａ）に示すように、開口部２０１の位置に対するディスクトレイ３０１の水平方向の位置がズレてしまう。例えば、シャーシ部４００の製造過程において、孔４０１の水平方向の位置が右方向に２ｍｍズレて加工され、また、雄ネジ７の外径がシャーシ部４００の孔４０１及びブラケット５００の孔５１２の内径よりそれぞれ０．５ｍｍ小さい場合は、製造過程における加工位置の誤差や雄ネジ７の固定位置のズレの累積により、開口部２０１の位置に対するディスクトレイ３０１の水平方向の位置が最大で右方向に３ｍｍズレてしまう。
【００１９】
また、従来の光ディスク再生装置１００は、シャーシ部４００のボス４１１を製造する過程において、加工寸法の誤差や温度変化による部材の伸縮によって、ボス４１１の高さに誤差が生じることがあり、更に、ブラケット５００の製造過程において上面から曲げ部５１１の下面までの高さに誤差が生じることがある。このため、ボス４１１を製造する過程におけるボス４１１の上下方向の高さの誤差及びブラケット５００の製造過程における上面から曲げ部５１１の下面までの高さの誤差の累積により、図６（ｂ）に示すように、開口部２０１の位置に対するディスクトレイ３０１の垂直方向の位置がズレてしまう。例えば、ボス４１１の製造過程において、ボス４１１の高さが１．５ｍｍ低く加工され、また、ブラケット５００の製造過程において上面から曲げ部５１１の下面までの高さが１．５ｍｍ低く加工された場合は、開口部２０１の位置に対するディスクトレイ３０１の垂直方向の位置が最大で下方向に３ｍｍズレてしまう。
【００２０】
このように、シャーシ部４００の製造過程における孔４０１の水平方向の加工位置の誤差及び雄ネジ７の外径と雄ネジ７を挿入する孔の内径との隙間による固定位置のズレによって、開口部２０１の位置に対するディスクトレイ３０１の水平方向の位置がズレたり、ボス４１１を製造する過程におけるボス４１１の上下方向の高さ及びブラケット５００の製造過程における上面から曲げ部５１１の下面までの高さの累積誤差によって、開口部２０１の位置に対するディスクトレイ３０１の垂直方向の位置がズレてしまうと、ディスクトレイ３０１と開口部２０１との間に生じる左右の隙間または上下の隙間が異なってしまい、光ディスク再生装置１００の外観が損なわれる。また、開口部２０１の位置に対するディスクトレイ３０１の水平方向及び垂直方向の位置のズレが大きくなると、ディスクトレイ３０１が開口部２０１の内壁に接触してしまい、ディスクトレイ３０１が開口部２０１の前方にスライドできなくなってしまう。
【００２１】
本発明は、前面パネルの開口部からディスクトレイが前後にスライドすることによって光ディスクを装置の外部から内部へ搬送し、搬送した光ディスクに記録されているデータを再生する光ディスク再生装置において、簡単な構成により、開口部に対するディスクトレイの位置のズレを減少させることができる光ディスク再生装置を提供することを目的とする。
【課題を解決するための手段】
【００２２】
本願の請求項１記載の発明は、光ディスクに記録されているデータを再生する光ディスク再生装置において、前後に貫通する開口部を備え裏面に後方に開口する雌ネジ部を備える前面パネルと、下方部分が後方に突出したＬ字型を成し前後に貫通し長手方向が上下方向である長孔を備え雄ネジが当該長孔を介して前記前面パネルの雌ネジ部に締結されることによって前記前面パネルに固定されるＬ字金具と、前方部分が前記前面パネルに固定され後方部分に上方に開口した雌ネジ部を備えるシャーシ部と、前記前面パネルの後方に配設され前面に前記開口部を介して前後にスライドするディスクトレイを備え当該ディスクトレイによって搬送された当該光ディスクに記録されたデータを再生する再生部と、上面に前記再生部を固着し後方部分に上下に貫通する孔を備え雄ネジが当該孔を介して前記シャーシ部の雌ネジ部に締結されることによって前記シャーシ部に固定されるブラケットとを備え、前記Ｌ字金具は、上方に折り曲げられた折り曲げ部を備え、前記ブラケットは、前端部分に前記折り曲げ部と嵌合する切欠き部を備えることを特徴とする。
【発明の効果】
【００２３】
本発明によれば、前面パネルの開口部からディスクトレイが前後にスライドすることによって光ディスクを装置の外部から内部へ搬送し、搬送した光ディスクに記録されているデータを再生する光ディスク再生装置において、簡単な構成により、開口部に対するディスクトレイの位置のズレを減少させることができる光ディスク再生装置を提供することができる。
【発明を実施するための最良の形態】
【００２４】
本発明の実施の形態を図面を参照して説明する。なお、従来技術で示した構成要素と同一の部分については同符号を用いる。
【００２５】
図１は、本発明の一実施例の光ディスク再生装置の概略構成を示す斜視図である。
光ディスク再生装置１は、前面パネル２、再生部３、シャーシ部４、上面カバー９、及び後面パネル１０を備える。前面パネル２は、前後に開口する開口部２０１を備える。上面カバー９及び後面パネル１０は、図示しないネジによってそれぞれシャーシ部４に固定される。
【００２６】
再生部３は、前面にディスクトレイ３０１を備え、このディスクトレイ３０１の上面には凹部３０２を備える。ディスクトレイ３０１の上下方向の高さ及び左右方向の幅は開口部２０１の上下方向の高さ及び左右方向の幅より小さい。
【００２７】
図２は、本実施例の光ディスク再生装置１の構成を示す後方斜視図である。
図２においては、矢印Ａ方向を光ディスク再生装置１の前方とする。
光ディスク再生装置１は、前述した構成以外にＬ字金具６を備える。
前面パネル２は、上方部分及び下方部分にそれぞれ後方に突出した凸部２０２及び凸部２０３を備え、凸部２０３の右部分及び左部分にはそれぞれ上方に開口した雌ネジ部２０４を備える。前面パネル２は、裏面の左右部分にそれぞれボス２０５を備える。ボス２０５は、後方に開口する雌ネジ部２０６を備える。
【００２８】
Ｌ字金具６は、下方部分が後方に突出したＬ字型を成し、右側部分及び左側部分に前後に貫通し長手方向が上下方向である長孔６０１を備える。Ｌ字金具６は、下方部分の後方に突出した部分の中央の位置に上方に略直角に折り曲げられた折り曲げ部６０３を備え、折り曲げ部６０３の右側部分及び左側部分にそれぞれ上方に開口する雌ネジ部６０２を備える。
【００２９】
シャーシ部４は、右端部分及び左端部分がそれぞれ上方に折り曲げられたコの字型を形成し、前方部分に上下に貫通する孔４０１を備える。シャーシ部４００は、後方部分の右側部分及び左側部分の上面にそれぞれボス４０２を備える。ボス４０２は、上方に開口する雌ネジ部４０３を備える。
【００３０】
再生部３は、下面にブラケット５が接着剤等により固着されている。ブラケット５は、後方部分の左右部分にそれぞれ外側に突出する曲げ部５０１を備え、この曲げ部５０１にはそれぞれ上下に貫通する孔５０２を備える。ブラケット５は、前端に切欠き部５０４を備える。切欠き部５０４の左右方向の幅は、Ｌ字金具６の折り曲げ部６０３の左右方向の幅より僅かに大きい。ブラケット５は、切欠き部５０４の右側部分及び左側部分にそれぞれ上下に貫通する孔５０３を備える。
【００３１】
Ｌ字金具６は、雄ネジ７を長孔６０１に挿入し、この雄ネジ７を雌ネジ部２０６に締結することによって前面パネル２に固定される。前面パネル２は、雄ネジ７をシャーシ部４の孔４０１に挿入し、この雄ネジ７を雌ネジ部２０４に締結することによって、シャーシ部４に固定される。
【００３２】
再生部３を固着したブラケット５は、先ず、Ｌ字金具６の折り曲げ部６０３に切欠き部５０４を嵌合させた状態で雄ネジ７を孔５０３に挿入し、この雄ネジ７をＬ字金具６の雌ネジ部６０２に締結し、次に、雄ネジ７を孔５０２に挿入し、この雄ネジ７をボス４０２の雌ネジ部４０３に締結することによって、Ｌ字金具６及びシャーシ部４に固定される。
【００３３】
再生部３は、図示しないトレイ駆動部及び制御部を備える。制御部は、光ディスク再生装置１の図示しない操作部から出力された信号に基づいて、再生部３の制御及びトレイ駆動部の制御等を行う。トレイ駆動部は、制御部の制御により、ディスクトレイ３０１を開口部２０１の前方に突出する位置から前面パネル２の後方となる位置までの間を前後にスライドさせる。
【００３４】
ディスクトレイ３０１は、トレイ駆動部によって、凹部３０２に載置した光ディスク８を開口部２０１を介して前面パネル２の後方、即ち、装置内部に搬送する。また、ディスクトレイ３０１は、トレイ駆動部によって、凹部３０２に載置した光ディスク８を装置内部から開口部２０１を介して前面パネル２の前方に搬送する。
【００３５】
再生部３は、図示しないターンテーブル、クランパ、スピンドルモータ及び光ピックアップを備える。再生部３は、制御部の制御により、ディスクトレイ３０１によって内部に搬送された光ディスク８をターンテーブルとクランパにより狭持し、スピンドルモータを回転させて光ディスク８を回転させる。
【００３６】
光ピックアップは、スピンドルモータにより回転させた光ディスク８に記録されているデータを読み取る。
【００３７】
以上の構成により、光ディスク再生装置１は、ディスクトレイ３０１が前面パネル２の開口部２０１を介して前後にスライドすることによって、光ディスク８を装置の外部から内部へ搬送し、搬送した光ディスク８に記録されているデータを再生する。
【００３８】
図３は、本実施例の光ディスク再生装置１の前面パネル２、再生部３、シャーシ部４、ブラケット５の組み付けを示す図で、図３（ａ）は上面図、図３（ｂ）は正面図である。
図３（ａ）においては、下方向を光ディスク再生装置１の前方とする。
【００３９】
再生部３を固着するブラケット５は、図３（ａ）に示すように、前端に備えた切欠き部５０４がＬ字金具６の折り曲げ部６０３と嵌合した状態でＬ字金具６に固定されることにより、ブラケット５の前方部分とＬ字金具６との間では水平方向の位置ズレが生じない。このため、ブラケット５の前方部分と前面パネル２との間での水平方向の位置のズレは、Ｌ字金具６を前面パネル２に固定する場合における、雄ネジ７の外径とＬ字金具６の長孔６０１の左右方向の幅との隙間によって生じる誤差のみとなる。このため、例えば、雄ネジ７の外径が長孔６０１の左右方向の幅より０．５ｍｍ小さい場合は、雄ネジ７の固定位置のズレにより、開口部２０１の位置に対するディスクトレイ３０１の水平方向の固定位置のズレは最大でも０．２５ｍｍとなる。
【００４０】
このため、本実施例の光ディスク再生装置１において生じるブラケットと前面パネルとの水平方向の位置のズレは、図５及び図６（ａ）で説明した従来の光ディスク再生装置において生じるブラケットと前面パネルとの水平方向の位置のズレより減少させることができるため、開口部２０１に対するディスクトレイ３０１の水平方向の位置のズレを減少させることができる。
【００４１】
また、開口部２０１の位置に対してディスクトレイ３０１の垂直方向の固定位置にズレが生じた場合は、図３（ｂ）に示すように、Ｌ字金具６の長孔６０１を介して前面パネル２の雌ネジ部２０６に締結した雄ネジ７を緩め、長孔６０１の内壁に対する雄ネジ７の位置を上下に移動させることにより、ブラケット５の前方における垂直方向の固定位置を調節することができる。これにより、Ｌ字金具６やブラケット５等の製造過程における加工位置の誤差によって、開口部２０１の位置に対してディスクトレイ３０１の垂直方向の固定位置にズレが生じた場合でも、簡単にディスクトレイ３０１の垂直方向の位置を補正することができるため、開口部２０１に対するディスクトレイ３０１の垂直方向の位置のズレを減少させることができる。
【００４２】
以上の構成により、本実施例の光ディスク再生装置１は、開口部２０１の位置に対するディスクトレイ３０１の水平方向の固定位置のズレ及び垂直方向の固定位置のズレを減少させることができるので、ディスクトレイ３０１と開口部２０１との間に生じる左右の隙間または上下の隙間が異なってしまい、光ディスク再生装置１００の外観が損なわれてしまうことを防止できる。また、開口部２０１の位置に対するディスクトレイ３０１の水平方向の固定位置のズレ及び垂直方向の固定位置のズレによって、ディスクトレイ３０１が開口部２０１の内壁に接触してしまい、ディスクトレイ３０１が開口部２０１の前方にスライドできなくなってしまうことを防止することができる。
【００４３】
本実施例の光ディスク再生装置１は、Ｌ字金具６を前面パネル２に固定するための雌ネジ部２０６をボス２０５に備える構成とし、ブラケット５をシャーシ部４に固定するための雌ネジ部４０３をボス４０２に備える構成としたが、前面パネル２の裏面に直接雌ネジ部２０６を備える構成とし、また、シャーシ部４の上面に上方に折り曲げた折り曲げ部を備え、この折り曲げ部に雌ネジ部４０３を備える構成としても良い。これにより、前面パネル２及びシャーシ部４の製造コストを低減させることができる。
【図面の簡単な説明】
【００４４】
【図１】本発明の一実施例の光ディスク再生装置の概略構成を示す斜視図。
【図２】本実施例の光ディスク再生装置１の構成を示す後方斜視図。
【図３】本実施例の光ディスク再生装置１の前面パネル２、再生部３、シャーシ部４、ブラケット５の組み付けを示す図で、図３（ａ）は上面図、図３（ｂ）は正面図。
【図４】従来の光ディスク再生装置の概略構成を示す斜視図。
【図５】光ディスク再生装置１００の構成を示す後方斜視図。
【図６】従来の光ディスク再生装置１００の前面パネル２００、シャーシ部４００、ブラケット５００の組み付けを示す正面図。
【符号の説明】
【００４５】
１  光ディスク再生装置、２  前面パネル、２０１  開口部、
２０２  凸部、２０３  凸部、２０４  雌ネジ部、２０５  ボス、２０６  雌ネジ部、
３  再生部、３０１  ディスクトレイ、３０２  凹部、
４  シャーシ部、４０１  孔、４０２  ボス、４０３  雌ネジ部、
５  ブラケット、５０１  曲げ部、５０２  孔、５０３  孔、５０４  切欠き部、
６  Ｌ字金具、６０１  長孔、６０２  雌ネジ部、６０３  折り曲げ部、
７  雄ネジ、８  光ディスク、９  上面カバー、１０  後面パネル、
１００  光ディスク再生装置、２００  前面パネル、
４００  シャーシ部、４１１  ボス、４１２  雌ネジ部、
５００  ブラケット、５１１  曲げ部、５１２  孔
【図１】
2008108351.tif 000003
【図２】
2008108351.tif 000004
【図３】
2008108351.tif 000005
【図４】
2008108351.tif 000006
【図５】
2008108351.tif 000007
【図６】
2008108351.tif 000008